(57)【要約】【課題】本の綴じ目等のように読み取り位置から浮き上がりがちな原稿を読み取り対象とする場合に、原稿台からの原稿の浮き上がりによる読み取り不良を防止するとともに、ユーザの負担を軽減して使い勝手の向上を図る。【解決手段】光源８を原稿に沿って移動させることによって読み取り位置に位置付けられた原稿の画像を露光走査する露光光学系Ｓと、原稿を読み取り位置に位置付ける押え位置と読み取り位置を開放する開放位置とに選択的に位置付けられる原稿押え部材３とを有する画像読み取り装置１で、露光走査の開始に際して、原稿押え部材３が開放位置に設定されている場合には、露光走査開始が宣言されたときに原稿押え部材３が押え位置に設定されている場合よりも露光走査の開始タイミングを遅らせるようにした。【選択図】　　図１
2004070028.tif 000002
【特許請求の範囲】
【請求項１】
読み取り位置に位置付けられた原稿の画像を光源とこの光源を原稿に沿って移動させる移動手段とによって露光走査する露光走査光学系と、
前記露光走査光学系の露光走査により原稿を露光した光を受光素子に受光させる受光光学系と、
前記原稿を読み取り位置に位置付ける押え位置と読み取り位置を開放する開放位置とに選択的に位置付けられる原稿押え部材と、
前記原稿押え部材が押え位置に位置付けられているか開放位置に位置付けられているかを設定する位置設定手段と、
前記露光走査光学系による露光走査開始を宣言する開始宣言手段と、
前記開始宣言手段が露光走査開始を宣言したときに前記位置設定手段により設定された前記原稿押え部材の位置が開放位置である場合には、前記開始宣言手段が露光走査開始を宣言したときに前記位置設定手段により設定された前記原稿押え部材の位置が押え位置である場合よりも露光走査開始タイミングを遅らせるタイミング調整手段と、
を具備する画像読み取り装置。
【請求項２】
前記原稿押え部材が押え位置に位置付けられているか開放位置に位置付けられているかを判断する位置判断手段を具備し、
前記位置設定手段は、前記位置判断手段の判断結果に応じて前記押え部材の位置を設定する請求項１記載の画像読み取り装置。
【請求項３】
前記タイミング調整手段は、前記開始宣言手段が露光走査開始を宣言したときに前記位置設定手段により設定された前記原稿押え部材の位置が押え位置である場合に前記開始宣言手段が露光走査開始を宣言してから前記光源が点灯するまでの点灯時間が経過してから前記露光走査光学系による露光走査を開始させる請求項１または２記載の画像読み取り装置。
【請求項４】
請求項１、２または３記載の画像読み取り装置と、
前記画像読み取り装置の受光素子が受光した光量に基づいて取得される画像データに基づく画像を記録媒体に形成する画像形成装置と、
を具備する複写装置。
【請求項５】
光源とこの光源を原稿に沿って移動させる移動手段とによって読み取り位置に位置付けられた原稿の画像を露光走査する露光走査光学系と、前記露光走査光学系の露光走査により原稿を経由した光を受光素子で受光する受光光学系と、前記露光走査光学系による露光走査開始を宣言する開始宣言手段と、前記原稿を読み取り位置に位置付ける押え位置と読み取り位置を開放する開放位置とに選択的に位置付けられる原稿押え部材と、を具備する画像読み取り装置が備えるコンピュータにインストールされるコンピュータプログラムであって、
前記原稿押え部材が押え位置に位置付けられているか開放位置に位置付けられているかを設定する位置設定機能と、
前記開始宣言手段により露光走査開始が宣言されたときに前記原稿押え部材が開放位置に設定されている場合には、前記開始宣言手段により露光走査開始が宣言されたときに前記原稿押え部材が押え位置に設定されている場合よりも露光走査開始タイミングを遅らせるタイミング調整機能と、
を前記コンピュータに実行させるコンピュータプログラム。
【請求項６】
前記原稿押え部材が押え位置に位置付けられているか開放位置に位置付けられているかを判断する位置判断機能を前記コンピュータに実行させ、
前記位置判断機能による判断結果に応じて前記押え部材の位置を設定する機能を前記位置設定機能として前記コンピュータに実行させる請求項５記載のコンピュータプログラム。
【請求項７】
前記開始宣言手段が露光走査開始を宣言したときに前記位置設定手段により設定された前記原稿押え部材の位置が押え位置である場合、前記開始宣言手段が露光走査開始を宣言してから前記光源が点灯するまでの点灯時間が経過してから前記露光走査光学系による露光走査を開始する機能を前記タイミング調整機能として前記コンピュータに実行させる請求項５または６記載のコンピュータプログラム。
【発明の詳細な説明】
【０００１】
【発明の属する技術分野】
本発明は、画像読み取り装置、複写装置および画像読み取り方法に関する。
【０００２】
【従来の技術】
原稿台上に載置された原稿を読み取る画像読み取り装置では、原稿台からの原稿の浮き上がりを防止するために、原稿を原稿台に押し当てる圧板を備えているものがある。また、圧板に代えて、複数枚の原稿を自動的に順次供給する原稿給送装置を備える画像読み取り装置もある。このような画像読み取り装置には、原稿を原稿台に押し当てて原稿を読み取り位置に位置付けるような押え位置と、原稿台上への原稿のセットを許容する開放位置とに選択的に位置付けることができる圧板や原稿給送装置を備えるものがある。以降、このような圧板や原稿給送装置を、まとめて、原稿押え部材という。
【０００３】
ところで、本等の綴じられた原稿を読み取る場合には、原稿給送装置を備える画像読み取り装置であっても原稿給送装置を使用することができない。このため、本等の綴じられた原稿を読み取る場合、ユーザは、一般的に、圧板または原稿給送装置のいずれを備える画像読み取り装置であっても以下に示す▲１▼または▲２▼のいずれかの手順を実行する。
【０００４】
▲１▼原稿押え部材を開放位置に位置付けて、原稿台に原稿を載置した後に原稿押え部材を押え位置に位置付けて、スタートボタン等を操作して読み取りを開始させる。
【０００５】
▲２▼原稿押え部材を開放位置に位置付けて原稿台に原稿を載置し、原稿押え部材を開放位置に位置付けたままの状態で該原稿を片手で押えながらスタートボタン等を操作して読み取りを開始させる。この場合、綴じ目等の原稿台から浮き上がった部分が読み取られる前に原稿を押える必要がある。
【０００６】
【発明が解決しようとする課題】
ところが、本等の綴じられた原稿を読み取る場合、上述した▲１▼，▲２▼のいずれの手順で読み取る場合にも、それぞれ以下に説明するような不具合がある。
【０００７】
まず、▲１▼の手順で本等の綴じられた原稿を読み取る場合、読み取るページ数が複数あると、原稿押え部材を開放位置または押え位置に位置付ける動作を、ページ毎に行わなければならず、読み取るページ数が多量にある場合に時間を要する。
【０００８】
上述した▲１▼に対する対策として、特開平１１―３４４９０７号公報には、開閉自在に設けられた圧板と、圧板の開閉を検出する圧板開閉検出手段と、原稿台上の原稿の有無を検出する原稿検出手段とを具備する複写装置で、特定のモードが設定されている場合には、コピーボタンを操作しなくても圧板が閉じた時にコピーを開始するようにした技術が開示されている。
【０００９】
しかし、該同公報に開示された技術では、コピーボタンを操作しなくても圧板の開閉動作によってコピーをスタートすることができるが、圧板を開閉する操作が必要であるために、複数ページに亘って読み取る場合には、ユーザの負担が増加し、腕が疲れる等の不具合が生じることがあり、使い勝手が良いものでは無い。また、圧板の開閉動作自体時間のかかる作業であるため、該同公報に開示された技術では、本等の綴じられた原稿を複数ページに亘って読み取る場合に、効果的な時間短縮を図ることはできないのが現状である。
【００１０】
また、▲２▼の手順で本等の綴じられた原稿を読み取る場合、原稿押え部材を開閉させる作業は必要ないが、綴じ目等の原稿の浮いた部分が読み取られる前に原稿を押えなくてはならないため、スタートボタンを押下してから急いで原稿全体を押えなくてはならない。このとき、スタートボタンを押下してから原稿全体を押えるのが間に合わず、原稿が浮いた状態で読み取られてしまうことがある。そして、このような画像読み取り装置を搭載する複写装置では、原稿が浮いた状態で読み取った画像がコピーされるため、コピーした用紙が無駄になってしまうことがある。
【００１１】
本発明の目的は、例えば、本の綴じ目等のように読み取り位置から浮き上がりがちな原稿を読み取り対象とする場合に、原稿台からの原稿の浮き上がりによる読み取り不良を防止するとともに、ユーザの負担を軽減して使い勝手の向上を図ることである。
【００１２】
【課題を解決するための手段】
請求項１記載の発明の画像読み取り装置は、読み取り位置に位置付けられた原稿の画像を光源とこの光源を原稿に沿って移動させる移動手段とによって露光走査する露光走査光学系と、前記露光走査光学系の露光走査により原稿を露光した光を受光素子に受光させる受光光学系と、前記原稿を読み取り位置に位置付ける押え位置と読み取り位置を開放する開放位置とに選択的に位置付けられる原稿押え部材と、前記原稿押え部材が押え位置に位置付けられているか開放位置に位置付けられているかを設定する位置設定手段と、前記露光走査光学系による露光走査開始を宣言する開始宣言手段と、前記開始宣言手段が露光走査開始を宣言したときに前記位置設定手段により設定された前記原稿押え部材の位置が開放位置である場合には、前記開始宣言手段が露光走査開始を宣言したときに前記位置設定手段により設定された前記原稿押え部材の位置が押え位置である場合よりも露光走査開始タイミングを遅らせるタイミング調整手段と、を具備する。
【００１３】
したがって、露光走査開始を宣言したときの原稿押え部材の位置が開放位置である場合には、露光走査開始を宣言したときの原稿押え部材の位置が押え位置である場合よりも露光走査開始タイミングを遅らせることにより、露光走査開始を宣言してから原稿が実際に露光走査されるまでの時間を確保することができる。
【００１４】
請求項２記載の発明は、請求項１記載の画像読み取り装置において、前記原稿押え部材が押え位置に位置付けられているか開放位置に位置付けられているかを判断する位置判断手段を具備し、前記位置設定手段は、前記位置判断手段の判断結果に応じて前記押え部材の位置を設定する。
【００１５】
したがって、原稿押え部材の位置を、位置判断手段の判断結果に応じて自動的に設定することができる。
【００１６】
請求項３記載の発明は、請求項１または２記載の画像読み取り装置において、前記タイミング調整手段は、前記開始宣言手段が露光走査開始を宣言したときに前記位置設定手段により設定された前記原稿押え部材の位置が押え位置である場合に前記開始宣言手段が露光走査開始を宣言してから前記光源が点灯するまでの点灯時間が経過してから前記露光走査光学系による露光走査を開始させる。
【００１７】
したがって、露光走査開始を宣言してから光源が点灯するまでの点灯時間が経過した後に露光走査を開始することにより、原稿全体を均一に露光走査することができる。そして、露光走査開始を宣言したときの原稿押え部材の位置が開放位置である場合には、露光走査開始を宣言してから点灯時間よりも長い時間の経過後に露光走査が開始されるので、請求項１または２記載の発明の作用に加えて、原稿全体を均一に露光走査することができる。
【００１８】
請求項４記載の発明の複写装置は、請求項１、２または３記載の画像読み取り装置と、前記画像読み取り装置の受光素子が受光した光量に基づいて取得される画像データに基づく画像を記録媒体に形成する画像形成装置と、を具備する。
【００１９】
したがって、請求項１、２または３記載の発明の作用を有する複写装置を得ることができる。
【００２０】
請求項５記載の発明のコンピュータプログラムは、光源とこの光源を原稿に沿って移動させる移動手段とによって読み取り位置に位置付けられた原稿の画像を露光走査する露光走査光学系と、前記露光走査光学系の露光走査により原稿を経由した光を受光素子で受光する受光光学系と、前記露光走査光学系による露光走査開始を宣言する開始宣言手段と、前記原稿を読み取り位置に位置付ける押え位置と読み取り位置を開放する開放位置とに選択的に位置付けられる原稿押え部材と、を具備する画像読み取り装置が備えるコンピュータにインストールされるコンピュータプログラムであって、前記原稿押え部材が押え位置に位置付けられているか開放位置に位置付けられているかを設定する位置設定機能と、前記開始宣言手段により露光走査開始が宣言されたときに前記原稿押え部材が開放位置に設定されている場合には、前記開始宣言手段により露光走査開始が宣言されたときに前記原稿押え部材が押え位置に設定されている場合よりも露光走査開始タイミングを遅らせるタイミング調整機能と、を前記コンピュータに実行させる。
【００２１】
したがって、露光走査開始が宣言されたときの原稿押え部材の位置が開放位置である場合には、露光走査開始が宣言されたときの原稿押え部材の位置が押え位置である場合よりも露光走査開始タイミングが遅らせられるので、露光走査開始が宣言されてから原稿が実際に露光走査されるまでの時間を確保することができる。
【００２２】
請求項６記載の発明は、請求項５記載のコンピュータプログラムにおいて、前記原稿押え部材が押え位置に位置付けられているか開放位置に位置付けられているかを判断する位置判断機能を前記コンピュータに実行させ、前記位置判断機能による判断結果に応じて前記押え部材の位置を設定する機能を前記位置設定機能として前記コンピュータに実行させる。
【００２３】
したがって、原稿押え部材の位置を自動的に設定することができる。
【００２４】
請求項７記載の発明は、請求項５または６記載のコンピュータプログラムにおいて、前記開始宣言手段が露光走査開始を宣言したときに前記位置設定手段により設定された前記原稿押え部材の位置が押え位置である場合、前記開始宣言手段が露光走査開始を宣言してから前記光源が点灯するまでの点灯時間が経過してから前記露光走査光学系による露光走査を開始する機能を前記タイミング調整機能として前記コンピュータに実行させる。
【００２５】
したがって、露光走査開始が宣言されてから光源が点灯するまでの点灯時間が経過した後に露光走査が開始されるので、原稿全体を均一に露光走査することができる。そして、露光走査開始を宣言したときの原稿押え部材の位置が開放位置である場合には、露光走査開始を宣言してから点灯時間よりも長い時間の経過後に露光走査が開始されるので、請求項５または６記載の発明の作用に加えて、原稿全体を均一に露光走査することができる。
【００２６】
【発明の実施の形態】
本発明の第一の実施の形態について図１ないし図７を参照して説明する。本実施の形態は、画像読み取り装置としてデジタルスキャナへの適用例を示す。
【００２７】
図１は、本実施の形態のデジタルスキャナを示す縦断正面図である。本実施の形態のデジタルスキャナ１は、スキャナ装置２と、スキャナ装置２の上側に設けられた原稿給送装置３とを備えている。
【００２８】
まず、スキャナ装置２について説明する。スキャナ装置２は、上面に原稿がセットされる原稿台４を有するスキャナケース５を備えている。原稿台４に載置された原稿のサイズは、原稿検知センサ６（図３参照）によって検知される。原稿検知センサ６は、後述する開閉検知スイッチ７（図３参照）から出力される開閉状態信号／ａｋｓに応じて原稿サイズの検知を行う。
【００２９】
スキャナケース５の内部には、光を発光する光源としての露光ランプ８およびミラー９を搭載する第一走行体１０と、二枚のミラー１１，１２を搭載する第二走行体１３とが設けられている。露光ランプ８およびミラー９，１１，１２は、長手方向を主走査方向に平行に配設されている。第一、第二走行体１０，１３は、原稿台４に沿って副走査方向（図１中紙面左右方向）に往復動自在に設けられており、移動手段としての図示しないステッピングモータによって２：１の速度比で走行される。
【００３０】
後述する画像読み取り処理に際しては、露光ランプ８を発光させるとともに第一、第二走行体１０，１３を原稿台４に沿って往復動させる。これにより、露光ランプ８の主走査方向の幅と露光ランプ８が移動した距離とによって決定される範囲で、原稿が露光走査される。本実施の形態では、露光ランプ８の移動によって原稿台４上に形成される二次元の露光走査範囲を読み取り位置とする。
【００３１】
原稿を露光走査した光は、ミラー９，１１，１２によって導かれ、結像レンズ１４を介して、画像読み取り基板１５に搭載された受光素子としてのイメージセンサ１５ａに結像される。本実施の形態では、露光ランプ８、第一走行体１０および図示しないステッピングモータによって露光走査光学系Ｓが構成されており、ミラー９，１１，１２、結像レンズ１４およびイメージセンサ１５ａによって受光光学系Ｃが構成されている。
【００３２】
本実施の形態のイメージセンサ１５ａは、画像読み取り基板１５の表面に一列に並べて実装された多数の読み取りセルによって構成される一次元読み取り素子である。画像読み取り基板１５は、原稿を介してイメージセンサ１５ａに結像された露光光のアナログ画像データを光電変換してデジタル画像データを生成する。
【００３３】
画像読み取り基板１５で生成したデジタル画像データは、画像処理基板１６によって各種画像処理が施される。画像処理基板１６が行う画像処理としては、例えば、シェーディング補正処理、ＭＴＦ補正処理、γ補正処理等の公知の各種画像処理が挙げられる。なお、シェーディング補正処理、ＭＴＦ補正処理、γ補正処理については、公知の技術であるため説明を省略する。
【００３４】
次に、原稿給送装置３について説明する。原稿給送装置３には、シート状の原稿がセットされる原稿テーブル１７が設けられており、原稿が複数枚ある場合には、原稿が原稿テーブル１７上に積み重ねた状態でセットされる。図１中、原稿テーブル１７の左端位置に設けられた給紙口１８には、給紙口１８から原稿台４上の読み取り位置を経由して排出口１９に至る原稿搬送経路２０が連通されている。原稿搬送経路２０と給紙口１８との連通位置には、原稿テーブル１７にセットされた原稿を原稿搬送経路２０中へ送り出す呼び出しコロ２１が、原稿搬送経路２０の下側から原稿搬送経路２０に臨むようにして配置されている。また、原稿搬送経路２０と給紙口１８との連通位置には、原稿搬送経路２０を間にして呼び出しコロ２１に対向するピンチコロ２２が設けられている。原稿は、給紙口１８側となる端部を先端として、この先端を呼び出しコロ２１とピンチコロ２２との間に差し込むようにして、原稿テーブル１７上にセットされる。
【００３５】
原稿搬送経路２０中で、呼び出しコロ２１およびピンチコロ２２の近傍には、呼び出しコロ２１およびピンチコロ２２よりも排出口１９側（原稿搬送方向下流側）に位置するようにして、原稿テーブル１７に原稿がセットされているか否かに応じて出力（原稿有無信号／ａｄｆ＿ｄｏｃ）が変化する原稿有無センサ２３（図３参照）が配置されており、原稿有無センサ２３よりも原稿搬送方向下流側には、分離ベルトや分離ローラ等によって構成されて、呼び出しコロ２１によって原稿搬送経路２０中へ送り出された原稿を一枚ずつに分離する分離機構２４が設けられている。
【００３６】
また、原稿搬送経路２０中には、複数の搬送ローラ２５に巻回されて、搬送ローラ２５によって回転されることで原稿を搬送する搬送ベルト２６が設けられている。搬送ベルト２６は、原稿台４を全体に亘って覆うようにして設けられており、原稿を搬送するとともに原稿台４上の原稿を原稿台４に押し当てて原稿が原稿台４から浮き上がることを防止する機能を果たしている。呼び出しコロ２１、分離機構２４の分離ローラおよび複数の搬送ローラ２５は、図示しないモータによって回転駆動される。
【００３７】
加えて、原稿搬送経路２０には、搬送ベルト２６によって原稿搬送経路２０中を搬送される原稿の先端を検出するとともに該原稿の幅方向（原稿搬送方向に直交する方向、すなわち、図１中紙面表裏方向）の寸法を検知するためサイズセンサ２７（図３参照）や、原稿台４上に搬送された原稿を読み取り位置で停止させるための図示しないストップ爪等が設けられている。ストップ爪は、露光走査が終了すると、原稿搬送経路２０を開放するように変位し、これにより原稿の排出が可能となる。排出口１９から排出された原稿は、排出台２８に積層される。
【００３８】
原稿給送装置３は、後述する画像読み取り処理に際して、呼び出しコロ２１によって原稿搬送経路２０中に送り込み、分離機構２４によって一枚ずつに分離した一枚の原稿のみを、搬送ベルト２６によって搬送して原稿台４上に送り出す。そして、該原稿が読み取り位置に到達した時点で搬送ローラ２５の回転を停止させる。これにより、原稿が読み取り位置に位置付けられる。なお、原稿の搬送方向の寸法は、例えば、サイズセンサ２７による検出タイミング等から取得することができ、この検出タイミングに基づいてモータを駆動することにより原稿を読み取り位置に正確に位置付けることができる。
【００３９】
原稿給送装置３は、原稿が読み取り位置に位置付けられている状態で、スキャナ装置２による上述した原稿の露光走査が終了すると、搬送ローラ２５の駆動を再開し、原稿台４上の原稿を読み取り位置から排出台２８へ搬送する。搬送ベルト２６は原稿台４を全体に亘って覆うように設けられているため、呼び出しコロ２１および分離ローラの駆動タイミングを調整することで、原稿台４上の原稿を読み取り位置から排出台２８へ搬送すると同時に、次の原稿を給紙することができる。
【００４０】
ところで、原稿給送装置３は、図１中紙面裏側となる連結位置Ｊ（図２参照）でスキャナ装置２に連結されており、この連結位置Ｊを支点としてスキャナ装置２から離反する方向へ回動自在に設けられている。以降、図１に示すように、原稿給送装置３によって原稿台４が覆われるような原稿給送装置３の位置を押え位置とし、連結位置Ｊを支点としてスキャナ装置２から離反する方向へ回動することにより原稿台４を開放するような原稿給送装置３の位置を開放位置とする。原稿給送装置３は、押え位置または開放位置に選択的に位置付けられる。
【００４１】
本実施の形態の原稿給送装置３は、連結位置における連結を解除することにより、スキャナ装置２から取り外し可能な状態でスキャナ装置２に装着されている。
【００４２】
原稿給送装置３が取り外されたスキャナ装置２には、図２に示すように、原稿給送装置３に代えて、圧板３０を装着することが可能である。圧板３０は、原稿給送装置３と同様に、連結位置Ｊにおいてスキャナ装置２に連結され、連結位置Ｊを支点として回動自在に装着される。本実施の形態では、原稿給送装置３と同様に、圧板３０によって原稿台４が覆われるような圧板３０の位置を押え位置とし、連結位置Ｊを支点としてスキャナ装置２から離反する方向へ回動することにより原稿台４を開放するような圧板３０の位置を開放位置とする。
【００４３】
原稿給送装置３または圧板３０が押え位置に位置付けられている場合、原稿台４上の原稿は原稿給送装置３または圧板３０によって原稿台４に押え付けられるように位置付けられる。また、原稿給送装置３または圧板３０が開放位置に位置付けられている場合、原稿台４の上方が開放され、原稿台４に対する原稿のセットまたは回収が可能となる。このようなことから、本実施の形態では、原稿給送装置３および圧板３０によって原稿押え部材が実現されている。
【００４４】
デジタルスキャナ１には、原稿給送装置３または圧板３０が押え位置に位置付けられているか開放位置に位置付けられているかに応じて、出力する開閉状態信号／ａｋｓが変化する開閉検知スイッチ７（図３参照）が設けられている。開閉検知スイッチ７は、原稿給送装置３または圧板３０とスキャナ装置２との連結位置Ｊの近傍に配設されて、図２に示すように、スキャナケース５の上面に対して出没自在な検出片３１を有している。検出片３１は、図示しない付勢部材によって、スキャナケース５の上面から突出する方向に付勢されており、原稿給送装置３または圧板３０が開放位置に位置付けられている場合にはスキャナケース５の上面から突出する位置に位置付けられ、原稿給送装置３または圧板３０が押え位置に位置付けられている場合には原稿給送装置３または圧板３０によって上端面が押え付けられて、スキャナケース５内に埋没するように位置付けられる。
【００４５】
加えて、デジタルスキャナ１は、ユーザによる操作を受け付け、ユーザとのインターフェイスとして機能する表示操作パネル３２と、操作されることにより後述する画像読み取り処理の開始を宣言する開始宣言手段として機能するスタートキー３３を備えている。本実施の形態の表示操作パネル３２は、液晶パネルと、この液晶パネルの表示面側に積層されるタッチパネルとによって構成されている。なお、液晶パネルおよびタッチパネルについては、公知の技術であるため説明を省略する。表示操作パネル３２のタッチパネルには、地肌除去機能ＯＦＦ／ＯＮ等の読み取りモードの設定を行うためのモード設定キー等の各種操作キーが割り当てられており、液晶パネルはタッチパネルに割り当てられた各種操作キーの位置を案内する情報や、操作ガイダンス等を表示する。
【００４６】
次に、デジタルスキャナ１が備える各部の電気的接続について図３を参照して説明する。図３は、デジタルスキャナ１が備える各部の電気的接続を示すブロック図である。デジタルスキャナ１は、デジタルスキャナ１が備える各部を駆動制御するメイン制御部４０を備えている。特に図示しないが、メイン制御部４０は、各種制御プログラムを実行してデジタルスキャナ１が備える各部を駆動するＣＰＵと、ＣＰＵが実行する制御プログラムや該制御プログラムの実行に際して必要なデータ等を記憶する記憶装置とを備えるマイクロコンピュータを主体として構成されている。
【００４７】
メイン制御部４０の記憶装置には、後述する画像読み取り処理に際して参照される時間ｔ１，ｔ２を記憶する図示しない時間記憶エリアや、ユーザによる表示操作パネル３２の操作により設定された読み取りモードや変倍率等の各種の設定を記憶する図示しない設定記憶エリア等が確保されている。本実施の形態では、ランプ点灯信号／ｌａｍｐ＿ｅｎをアサートしてから露光ランプ８が実際に点灯するまでのタイムラグを考慮した点灯時間以上の時間を時間ｔ１とする。時間ｔ２は、時間ｔ１よりも長く設定されている。
【００４８】
また、メイン制御部４０の記憶装置には、後述する画像読み取り処理に際して参照される、読み取り動作に支障を来たすエラーの発生の有無を記憶するエラーメモリや、濃淡等の読み取り条件の設定を記憶する読み取り条件設定ファイルや、時間ｔをカウントするカウンタバッファ等が設けられている。
【００４９】
さらに、メイン制御部４０の記憶装置には、スタートキー３３が操作された時点で原稿給送装置３または圧板３０が押え位置に位置付けられているか開放位置に位置付けられているかが設定される位置設定手段としての図示しない開閉設定エリアが確保されている。開閉設定エリアの設定は、後述する原稿読み取り処理の実行に際して、スタートキー３３が操作された時点における開閉検知スイッチ７から出力される開閉状態信号／ａｋｓに応じて設定される。ここに、位置設定機能が実現される。
【００５０】
メイン制御部４０には、原稿給送装置３が有する原稿有無センサ２３が出力する原稿有無信号／ａｄｆ＿ｄｏｃ、開閉検知スイッチ７が出力する開閉状態信号／ａｋｓ、あるいは、スタートキー３３の操作によりスタートキー３３から出力される読み取り開始要求信号／ｓｃ＿ｓｔｔ等が入力される。原稿有無センサ２３が出力する原稿有無信号／ａｄｆ＿ｄｏｃは、原稿テーブル１７に原稿がセットされている場合には「Ｌ」レベル、セットされていない場合は「Ｈ」レベルとなる。開閉検知スイッチ７が出力する開閉状態信号／ａｋｓは、原稿給送装置３または圧板３０が押え位置に位置付けられている場合には「Ｌ」レベル、開放位置に位置付けられている場合には「Ｈ」レベルとなる。スタートキー３３から出力される読み取り開始要求信号／ｓｃ＿ｓｔｔは、スタートキー３３が操作されたときに「Ｌ」レベルとなる。
【００５１】
また、メイン制御部４０には、原稿給送装置３が有するサイズセンサ２７からの出力や、原稿検知センサ６からの出力等が入力される。
【００５２】
さらに、メイン制御部４０には、図示しないモータドライバとステッピングモータとによって構成され、第一、第二走行体１０，１３を走行させるモータ等を駆動させるモータ駆動部４２が接続されている。メイン制御部４０は、モータドライバに対して、ステッピングモータの駆動に必要な制御クロックや、正転／逆転コマンド等のデータを出力する。モータドライバは、メイン制御部４０から出力されたデータに応じてステッピングモータを駆動させ、これにより、第一、第二走行体１０，１３が原稿に沿って走行する。
【００５３】
加えて、メイン制御部４０には、上述した露光ランプ８が接続されている。メイン制御部４０は、露光ランプ８に対して、露光ランプ８の点灯／消灯を制御するランプ点灯信号／ｌａｍｐ＿ｅｎを出力する。ランプ点灯信号／ｌａｍｐ＿ｅｎは、露光走査に際して露光ランプ８を点灯させる場合にアサートされ、露光走査が終了するとネゲートされる。
【００５４】
メイン制御部４０は、原稿給送装置３との間でデータ通信を行う図示しないインターフェイスを備えている。インターフェイスによるデータ通信はスキャナ装置２に対して原稿給送装置３が装着されている場合に可能となり、メイン制御部４０はインターフェイスを介して原稿給送装置３との間でのデータ通信を行うことにより、原稿給送装置３がスキャナ装置２に装着されているか否かを判断する。なお、図３は、原稿球新装置３が、スキャナ装置２に装着されている状態を示している。
【００５５】
次に、制御プログラムにしたがってメイン制御部４０が実行する読み取り処理について図４ないし図６を参照して説明する。図４および図５は、制御プログラムにしたがってメイン制御部４０が実行する読み取り処理を概略的に説明するフローチャートである。
【００５６】
図４に示すように、読み取り処理では、読み取り開始要求信号ｓｃ＿ｓｔｔに基づいてスタートキー３３が操作されたと判断するまで待機しており（Ｓ１のＮ）、スタートキー３３が操作されたと判断した場合には（Ｓ１のＹ）、「Ｌ」レベルの読み取り開始要求信号／ｓｃ＿ｓｔｔをメイン制御部４０に送信して要求があったことを通知するとともに、エラーメモリを参照して、機械内部で読み取り動作に支障を来たすエラーの発生の有無を判断する（Ｓ２）。
【００５７】
エラーメモリを参照して、機械内部で読み取り動作に支障を来たすエラーが発生していると判断した場合には（Ｓ２のＮ）、スタートキー３３の操作を無効とし、以降の処理を実行せずにステップＳ１に戻る。
【００５８】
エラーメモリを参照して、機械内部で読み取り動作に支障を来たすエラーは発生していないと判断した場合には（Ｓ２のＮ）、図示しない設定記憶エリアを参照してユーザによる表示操作パネル３２の操作によって設定された読み取りモードにしたがって、画像読み取り基板１５に対して読み取り条件の設定を行い、ランプ点灯信号／ｌａｍｐ＿ｅｎをアサートするとともに、カウンタバッファにおいて時間ｔのカウントを開始する（Ｓ３）。ランプ点灯信号／ｌａｍｐ＿ｅｎをアサートすることにより、露光ランプ８が点灯する。
【００５９】
続いて、原稿給送装置３の接続確認を行い、原稿給送装置３が装着されているか否かを判断し（Ｓ４）、原稿給送装置３が装着されていると判断した場合には（Ｓ４のＹ）、開閉検知スイッチ７からの開閉状態信号／ａｋｓに基づいて、装着されている原稿給送装置３が押え位置にあるか否かを判断する（Ｓ５）。
【００６０】
開閉検知スイッチ７からの開閉状態信号／ａｋｓに基づいて、原稿給送装置３が押え位置にあると判断した場合には（Ｓ５のＹ）、原稿給送装置３の原稿有無センサ２３からの出力信号／ａｄｆ＿ｄｏｃに基づいて、原稿テーブル１７の原稿セット位置に原稿がセットされているか否かを判断する（Ｓ６）。
【００６１】
原稿給送装置３の原稿有無センサ２３からの出力信号／ａｄｆ＿ｄｏｃに基づいて、原稿セット位置に原稿がセットされていると判断した場合には（Ｓ６のＹ）、原稿給送装置３に対して原稿給紙スタートのコマンドを送信する（Ｓ７）。原稿給送装置３は、メイン制御部４０からの原稿給紙スタートのコマンドを受信すると、搬送ローラ２５等を駆動して、原稿の給紙を開始する。
【００６２】
そして、図５に進み、図示しないカウンタバッファでカウントされる時間ｔを参照して、ランプ点灯信号／ｌａｍｐ＿ｅｎをアサートしてから時間ｔ１が経過したか否かを判断し（Ｓ８）、ランプ点灯信号／ｌａｍｐ＿ｅｎをアサートしてから時間ｔ１が経過したと判断した場合には（Ｓ８のＹ）、原稿給送装置３により搬送される原稿が、読み取り位置に到達したと判断するまで待機する（Ｓ９のＮ）。
【００６３】
原稿給送装置３により搬送される原稿が読み取り位置まで搬送されたと判断した場合には（Ｓ９のＹ）、図示しない設定記憶エリアを参照して、表示操作パネル３２の操作により設定された変倍率に基づいて、モータ駆動部４２に対して、駆動クロック、回転方向等の制御信号を送信する（Ｓ１０）。これにより、第一、第二走行体１０，１３に搭載された露光ランプ８、ミラー９，１１，１２が、表示操作パネル３２で設定された変倍率に応じた速度で副走査方向に駆動され、読み取り位置にある原稿の画像が露光走査され、光電変換データが生成される。画像読み取り基板１５は、読み取り条件設定ファイルを参照して、生成された光電変換データを設定された条件でデジタル変換し、この画像データを画像処理基板１６に対して出力する。
【００６４】
続いて、原稿給送装置３の原稿有無センサからの出力信号／ａｄｆ＿ｄｏｃに基づいて、原稿セット位置に原稿がセットされているか否かを判断し（Ｓ１１）、原稿セット位置に原稿がセットされていると判断した場合には（Ｓ１１のＹ）、次の原稿の給紙が可能であると判断するまで待機し（Ｓ１２のＮ）、可能であると判断した場合に（Ｓ１２のＹ）、原稿給送装置３に対して給紙スタートのコマンドを送信する（Ｓ１３）。ここで、先行する原稿を給紙してから後行する原稿の給紙が可能となるタイミングは、例えば、原稿給送装置３による原稿の搬送速度や、露光走査光学系Ｓによる露光走査能力や画像処理基板１６における処理能力等によって設定される。
【００６５】
ステップＳ９からステップＳ１４までの処理は、ステップＳ１１で、原稿セット位置に原稿がセットされていないと判断するまで繰り返す。
【００６６】
原稿セット位置に原稿がセットされていないと判断した場合には（Ｓ１１のＮ）、原稿給送装置３の給紙口１８に、次に読み取るべき原稿がセットされていないので、ランプ点灯信号／ｌａｍｐ＿ｅｎをネゲートする（Ｓ１４）。ランプ点灯信号／ｌａｍｐ＿ｅｎをネゲートすることにより、露光ランプ８を消灯させ、読み取り動作を終了する。
【００６７】
ところで、原稿給送装置３の原稿有無センサ２３からの出力信号／ａｄｆ＿ｄｏｃに基づいて、原稿セット位置に原稿がセットされていないと判断した場合には（Ｓ６のＮ）、図示しないカウンタバッファでカウントされる時間ｔおよび記憶装置に記憶された時間ｔ１を参照して、ランプ点灯信号／ｌａｍｐ＿ｅｎをアサートしてから時間ｔ１が経過したと判断するまで待機し（Ｓ１５のＮ）、ランプ点灯信号／ｌａｍｐ＿ｅｎをアサートしてから時間ｔ１が経過したと判断した場合には（Ｓ１５のＹ）、ステップＳ１０と同様に、表示操作パネル３２で設定された変倍率に基づいて、モータ駆動部４２に対して、駆動クロック、回転方向等の制御信号を送信し（Ｓ１６）、第一、第二走行体が一往復した時点で、ステップＳ１４と同様に、ランプ点灯信号／ｌａｍｐ＿ｅｎをネゲートする（Ｓ１７）。
【００６８】
また、開閉検知スイッチ７からの開閉状態信号／ａｋｓに基づいて、装着されている原稿給送装置３が閉じ位置にないと判断した場合には（Ｓ５のＮ）、カウンタバッファでカウントされる時間ｔおよび記憶装置に記憶された時間ｔ２を参照して、ランプ点灯信号／ｌａｍｐ＿ｅｎをアサートしてから時間ｔ２が経過したか否かを判断するまで待機する（Ｓ１８のＮ）。
【００６９】
ランプ点灯信号／ｌａｍｐ＿ｅｎをアサートしてから時間ｔ２が経過したと判断した場合には（Ｓ１８のＹ）、ステップＳ１６に進む。
【００７０】
また、原稿給送装置３の接続確認を行って原稿給送装置３が装着されていないと判断した場合には（Ｓ４のＮ）、原稿給送装置３に変えて圧板３０が装着されているものとし、開閉検知スイッチ７からの開閉状態信号／ａｋｓに基づいて、圧板３０が押え位置にあるか否かを判断する（Ｓ１９）。ここに、ステップＳ５およびステップＳ１９によって位置判断手段としての機能、および、位置判断機能が実行される。
【００７１】
開閉検知スイッチ７からの開閉状態信号／ａｋｓに基づいて、圧板３０が押え位置にあると判断した場合には（Ｓ１９のＹ）ステップＳ１５に進み、圧板３０が押え位置にない、すなわち、開放位置に位置付けられていると判断した場合には（Ｓ１９のＮ）、ステップＳ１８に進む。ここに、ステップＳ１８およびステップＳ１６によって、タイミング調整手段としての機能、および、タイミング調整機能が実行される。
【００７２】
ところで、本等の厚みのある原稿を読み取り対象とする場合、原稿給送装置３や圧板３０が物理的に閉まらないため、原稿給送装置３や圧板３０を開けたままで読み取りを行うことがある。また、本の綴じ目等のように原稿台４から浮き上がった部分を有する原稿を読み取り対象とする場合、浮き上がり部分を押えるために、原稿給送装置３や圧板３０を開けたままで読み取りを行うことがある。
【００７３】
本実施の形態のデジタルスキャナ１によれば、原稿給送装置３からの原稿の給紙を行わず、原稿給送装置３や圧板３０が開いたままである場合の原稿の読み取りに際して、ランプ点灯信号／ｌａｍｐ＿ｅｎをアサートしてから、露光ランプ８が実際に点灯するまでのタイムラグを考慮したｖ点灯時間以上の時間ｔ１以上に長い時間ｔ２が経過してからスキャナモータを駆動するようにしているため、スタートキー３３を操作してから原稿が実際に露光走査されるまでの時間を確保することができる。
【００７４】
これによって、例えば、本の綴じ目等のように読み取り位置から浮き上がりがちな原稿を読み取り対象とする場合にも、スタートキー３３を操作してから、浮き上がった部分が読み取られる前に原稿を確実に押えることができ、原稿を押える動作が間に合わずに読み取り動作が無駄になる等の、原稿台からの原稿の浮き上がりによる読み取り不良を防止することができる。
【００７５】
また、原稿台４上の読み取り位置から浮き上がりがちな原稿を読み取り対象とする場合にも原稿給送装置３や圧板３０を用いることなく読み取ることができるので、例えば、本等の綴じられた原稿を複数ページに亘って読み取る際に、一連の作業の中で原稿給送装置３や圧板３０を開放位置または押え位置に位置付ける作業を不要として、作業時間の短縮化を図り、ユーザの負担を軽減して使い勝手の向上を図ることができる。
【００７６】
このとき、スタートキー３３の操作により露光走査開始が宣言されたときの開閉検知スイッチ７からの開閉状態信号／ａｋｓが「Ｌ」である場合には、スタートキー３３を操作してから点灯時間ｔ１の経過を待って露光走査が開始され、スタートキー３３を操作したときの開閉検知スイッチ７からの開閉状態信号／ａｋｓが「Ｈ」である場合には、スタートキー３３を操作してから点灯時間ｔ１よりも長い時間ｔ２の経過を待って露光走査が開始されるので、原稿給送装置３または圧板３０の位置に拘わらず、原稿全体を均一に露光走査することができる。これによって、読み取りムラの発生を防止することができる。
【００７７】
また、本実施の形態のデジタルスキャナ１によれば、開閉検知スイッチ７からの出力に基づいて、原稿給送装置３または圧板３０が押え位置に位置付けられているか開放位置に位置付けられているかをデジタルスキャナ１が判断し、この判断結果に基づいて読み取りを行うので、ユーザによる設定操作を不要とするとともに設定ミスの発生をなくし、ユーザに対する負担を軽減し、使い勝手の向上を図ることができる。
【００７８】
なお、原稿給送装置３または圧板３０が押え位置に位置付けられている場合には、スタートキー３３を操作した後は待つ必要が無いので、最短時間のｔ１の経過を待つだけで読み取りを開始することができる。
【００７９】
また、本実施の形態では、原稿給送装置３がスキャナ装置２に装着されている状態で原稿給送装置３が押え位置に位置付けられている場合に、原稿給送装置３により読み取り位置まで原稿を搬送した後に、該原稿を読み取り位置に固定した状態で露光走査光学系Ｓによる露光走査を行って、原稿の画像を読み取るようなデジタルスキャナ１への適用例を示したが、これに限るものではなく、このような場合は、例えば、読み取り走査光学系Ｓの位置を固定した状態で露光ランプ８を点灯させ、原稿給送装置３により読み取り位置を通過させるように原稿を搬送することで原稿を露光走査し、原稿の画像を読み取るようにしてもよい。
【００８０】
次に、本発明の第二の実施の形態について図７および図８を参照して説明する。本実施の形態は、複写装置としてデジタル複写装置への適用例を示す。なお、第一の実施の形態と同一部分は同一符号で示し、説明も省略する。
【００８１】
図７は、本実施の形態のデジタル複写装置を示す縦断正面図である。デジタル複写装置５０は、第一の実施の形態のデジタルスキャナ１と、デジタルスキャナ１が読み取った画像データに基づく画像をシート状の記録媒体に形成する画像形成装置としてのプリンタ５１とを備えている。
【００８２】
プリンタ５１のプリンタケース５２には、手差し給紙する記録媒体が積層される手差しトレイ５３と、画像形成後の記録媒体が排出される排出トレイ５４とが設けられている。
【００８３】
プリンタケース５２内には、複数枚の記録媒体を積層保持する給紙トレイ５５が設けられている。プリンタケース５２内には、給紙トレイ５５または手差しトレイ５３から、プリンタエンジン５６、定着ユニット５７を経由して、排出トレイ５４へ連通する記録媒体経路５８が設けられている。
【００８４】
プリンタエンジン５６は、有機半導体で構成されてプリンタエンジン５６の中央部に設けられた感光体ドラム５９と、感光体ドラム５９の周囲に配設されたメインチャージャ６０、露光走査装置６１、現像ユニット６２、転写前チャージャ６３、転写チャージャ６４、分離チャージャ６５、分離爪６６、クリ−ニング前チャージャ６７、クリーニングユニット６８、除電ランプ６９等によって構成されている。感光体ドラム５９は図示しないモータによって回転駆動され、本実施の形態では、図７中時計回り方向に回転する。
【００８５】
公知の技術であるため説明を省略するが、露光走査装置６１は、光を発する半導体レーザダイオード（以降、半導体ＬＤとする）７０と、半導体ＬＤ７０で発した光を走査させるポリゴンミラー７１、ポリゴンミラー７１を回転させるモータ７２、および、ポリゴンミラー７１で走査された光をレンズ７３を介して感光体ドラム５９へ向けて反射させるミラー７４等を有している。半導体ＬＤ７０は、画像書込基板７５で生成される書き込み用の変調信号に基づいてＯＮ／ＯＦＦ駆動制御される。
【００８６】
画像書込基板７５は、デジタルスキャナ１の画像処理基板１６に接続されており、画像書込基板７５は画像処理基板１６で画像処理されて入力される信号に基づいて、書き込み用の変調信号を生成し、生成した書き込み用の変調信号に基づいて半導体ＬＤ７０のＯＮ／ＯＦＦ駆動を制御する。
【００８７】
次に、デジタル複写装置５０が備える各部の電気的接続について図８を参照して説明する。デジタル複写装置５０が備える各部はメイン制御部４０によって駆動制御される。本実施の形態では、スタートキー３３の操作によってスタートキー３３からコピー開始要求信号／ｃｐ＿ｓｔｔが出力され、メイン制御部４０にはこのコピー開始要求信号／ｃｐ＿ｓｔｔが入力される。スタートキー３３から出力されるコピー開始要求信号／ｃｐ＿ｓｔｔは、第一の実施の形態の読み取り開始要求信号／ｓｃ＿ｓｔｔと同様に、スタートキー３３が操作されたときに「Ｌ」レベルとなる。
【００８８】
また、本実施の形態のモータ駆動部４２は、感光体ドラム５９を回転させる図示しないモータや、定着ユニット５７、現像ユニット等、プリンタ５１における各部も駆動制御する。
【００８９】
このような構成において、コピー動作に際してスタートキー３３が操作されることにより、スタートキー３３から出力されるコピー開始要求信号／ｃｐ＿ｓｔｔが「Ｌ」レベルとなると、デジタルスキャナ１の各部を駆動制御して、上述した原稿読み取り処理を実行する。
【００９０】
また、プリンタ５１の各部を駆動制御して、デジタルスキャナ１で読み取った画像データに基づく画像を記録媒体に形成する。すなわち、感光体ドラム５９を図７中時計回り方向に回転させながら、メインチャージャ６０によって感光体ドラム５９表面を一様に帯電させ、露光走査装置６１により書き込み用の変調信号に基づいて半導体ＬＤ７０をＯＮ／ＯＦＦ駆動制御し、半導体ＬＤ７０から書き込み用の変調信号に応じた光信号を出力する。半導体ＬＤ７０から出力された光は、ポリゴンミラー７１、レンズ７３、および、ミラー７４を介して、感光体ドラム５９の表面に書き込み像として結像される。本実施の形態の感光体ドラム５９は、有機半導体で構成されているため、表面に結像されたレーザ光に感応し、これによって感光体ドラム５９表面に静電潜像が形成される。これにより、レーザ光が照射された感光体ドラム５９の表面に書き込み像の濃淡分布に応じた電位分布、すなわち、静電潜像が形成される。そして、感光体ドラム５９の回転により、この静電潜像が現像ユニット６２の近傍を通過する際にトナーを付着させることによって静電潜像を可視化する。
【００９１】
また、この可視化像が転写チャージャ６４の近傍を通過するタイミングに合わせて、給紙トレイから記録媒体を給紙し、この記録媒体が感光体ドラム５９と転写チャージャとの間に送り込まれる際に、転写チャージャ６４によって記録媒体上に転写する。トナー像が転写された記録媒体は、感光体ドラム５９から分離された後、搬送され、定着ユニット５７を通って排出される。
【００９２】
本実施の形態のデジタル複写装置５０によれば、例えば、本の綴じ目等のように読み取り位置から浮き上がりがちな原稿をコピーする場合にも、スタートキー３３を操作してから、浮き上がった部分が読み取られる前に原稿を確実に押えることができ、原稿を押える動作が間に合わずに読み取り動作が無駄になる等の、原稿台からの原稿の浮き上がりによる読み取り不良を防止することができるので、ミスコピーの発生を抑制して記録媒体に良好な画像を形成することができ、不要なコピー動作により記録媒体を無駄に消費してしまうことを防止することができる。
【００９３】
また、原稿台４上の読み取り位置から浮き上がりがちな原稿を読み取り対象とする場合にも原稿給送装置３や圧板３０を用いることなく読み取ることができるので、例えば、本等の綴じられた原稿を複数ページに亘ってコピーする際に、一連の作業の中で原稿給送装置３や圧板３０を開放位置または押え位置に位置付ける作業を不要として、作業時間の短縮化を図り、ユーザの負担を軽減して使い勝手の向上を図ることができる。
【００９４】
【発明の効果】
請求項１記載の発明の画像読み取り装置によれば、露光走査開始を宣言したときの原稿押え部材の位置が開放位置である場合には、露光走査開始を宣言したときの原稿押え部材の位置が押え位置である場合よりも露光走査開始タイミングを遅らせることにより、露光走査開始を宣言してから原稿が実際に露光走査されるまでの時間を確保することができるので、例えば、本の綴じ目等のように読み取り位置から浮き上がりがちな原稿を読み取り対象とする場合にも、露光走査開始を宣言してから浮き上がった部分が読み取られる前に原稿を確実に押えることができ、原稿を押える動作が間に合わずに読み取り動作が無駄になる等の、原稿台からの原稿の浮き上がりによる読み取り不良を防止することができる。また、読み取り位置から浮き上がりがちな原稿を読み取り対象とする場合にも原稿押え部材を用いる必要がないので、例えば、本等の綴じられた原稿を複数ページに亘って読み取る際に、一連の作業の中で原稿押え部材を開放位置または押え位置に位置付ける作業を不要として、作業時間の短縮化を図り、ユーザの負担を軽減して使い勝手の向上を図ることができる。
【００９５】
請求項２記載の発明によれば、請求項１記載の画像読み取り装置において、原稿押え部材の位置を自動的に設定することができるので、設定ミスの発生をなくすとともに、ユーザに対する負担を軽減し、使い勝手の向上を図ることができる。
【００９６】
請求項３記載の発明によれば、請求項１または２記載の画像読み取り装置において、原稿押え部材の位置に拘わらず、露光走査開始を宣言してから光源が点灯するまでの点灯時間が経過した後に露光走査を開始することにより、原稿全体を均一に露光走査することができるので、読み取りムラの発生を防止することができる。
【００９７】
請求項４記載の発明の複写装置によれば、請求項１、２または３記載の発明の効果を奏する複写装置を得ることができる。
【００９８】
請求項５記載の発明のコンピュータプログラムによれば、露光走査開始が宣言されたときの原稿押え部材の位置が開放位置である場合には、露光走査開始が宣言されたときの原稿押え部材の位置が押え位置である場合よりも露光走査開始タイミングが遅らせられるので、露光走査開始が宣言されてから原稿が実際に露光走査されるまでの時間を確保することができ、例えば、本の綴じ目等のように読み取り位置から浮き上がりがちな原稿を読み取り対象とする場合にも、露光走査開始を宣言してから浮き上がった部分が読み取られる前に原稿を確実に押えて、原稿を押える動作が間に合わずに読み取り動作が無駄になる等の、原稿台からの原稿の浮き上がりによる読み取り不良を防止することができる。また、読み取り位置から浮き上がりがちな原稿を読み取り対象とする場合にも原稿押え部材を用いる必要がないので、例えば、本等の綴じられた原稿を複数ページに亘って読み取る際に、一連の作業の中で原稿押え部材を開放位置または押え位置に位置付ける作業を不要として、作業時間の短縮化を図り、ユーザの負担を軽減して使い勝手の向上を図ることができる。
【００９９】
請求項６記載の発明によれば、請求項５記載のコンピュータプログラムにおいて、原稿押え部材の位置を自動的に設定することができるので、設定ミスの発生をなくすとともに、ユーザに対する負担を軽減し、使い勝手の向上を図ることができる。
【０１００】
請求項７記載の発明によれば、請求項５または６記載のコンピュータプログラムにおいて、原稿押え部材の位置に拘わらず、露光走査開始が宣言されてから光源が点灯するまでの点灯時間が経過した後に露光走査が開始されるので、原稿全体を均一に露光走査することができ、読み取りムラの発生を防止することができる。
【図面の簡単な説明】
【図１】本発明の第一の実施の形態のデジタルスキャナを示す縦断正面図である。
【図２】圧板を装着した状態のデジタルスキャナを示す斜視図である。
【図３】デジタルスキャナが備える各部の電気的接続について説明するブロック図である。
【図４】制御プログラムにしたがってメイン制御部が実行する読み取り処理を概略的に説明するフローチャートである。
【図５】制御プログラムにしたがってメイン制御部が実行する読み取り処理を概略的に説明するフローチャートである。
【図６】スタートキーの操作により開始される読み取り動作に際しての各部の動作タイミングを示すタイミングチャートである。
【図７】本発明の第二の実施の形態のデジタル複写装置を示す縦断正面図である。
【図８】デジタル複写装置が備える各部の電気的接続について説明するブロック図である。
【符号の説明】
１　　　　画像読み取り装置
３、３０　原稿押え部材
８　　　　光源
１５ａ　　　受光素子
３３　　　　開始宣言手段
５０　　　　複写装置
５１　　　　画像形成装置
Ｃ　　　　受光光学系
Ｓ　　　　露光走査光学系
【図１】
2004070028.tif 000003
【図２】
2004070028.tif 000004
【図３】
2004070028.tif 000005
【図４】
2004070028.tif 000006
【図５】
2004070028.tif 000007
【図６】
2004070028.tif 000008
【図７】
2004070028.tif 000009
【図８】
2004070028.tif 000010